【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
液晶表示パネルと、
前記液晶表示パネルの背面側に配置されるバックライトと、
一端が、前記液晶表示パネルの端子部に接続されるフレキシブル配線基板とを備える液晶表示装置であって、
前記バックライトは、枠状のモールドと、光源とを有し、
前記フレキシブル配線基板は、前記枠状のモールドの枠外で折り曲げられて、一部が前記枠状のモールドの背面側に配置されており、
前記光源は、前記枠状のモールドの枠内に収容されているとともに、
前記光源は、前記フレキシブル配線基板の折り曲げ部分近傍であって、前記フレキシブル配線基板の面のうち、前記フレキシブル配線基板が折り曲げられた状態において前記液晶表示パネルに対向する面に実装されており、
前記フレキシブル配線基板は、前記光源の周囲に切り込みを有することを特徴とする液晶表示装置。
【請求項２】
前記枠状のモールドは、前記フレキシブル配線基板が折り曲げられる側に位置する第１の側壁と、前記第１の側壁の一端側に位置する第２の側壁と、前記第１の側壁の他端側に位置し前記第２の側壁に対向する第３の側壁とを有し、
前記フレキシブル配線基板の前記切り込みは、前記光源よりも前記第１の側壁側に位置し前記第１の側壁に沿う第１の切り込みと、それぞれ前記第１の切り込みの両端部に連続し、前記第２および前記第３の側壁に沿う第２および第３の切り込みとを有することを特徴とする請求項１に記載の液晶表示装置。
【請求項３】
前記フレキシブル配線基板の前記切り込みにより分離された部分は、両面テープにより、前記枠状のモールドの背面側の面に貼り付けられていることを特徴とする請求項１または２に記載の液晶表示装置。
【請求項４】
前記枠状のモールドは、前記枠状のモールドの背面側に開口し前記光源が挿入される凹部を有することを特徴とする請求項１ないし請求項３のいずれか１項に記載の液晶表示装置。
【請求項５】
前記フレキシブル配線基板は、両面テープにより、前記枠状のモールドの背面側の面に貼り付けられていることを特徴とする請求項１ないし請求項４のいずれか１項に記載の液晶表示装置。
【請求項６】
液晶表示パネルと、
前記液晶表示パネルの背面側に配置されるバックライトと、
一端が、前記液晶表示パネルの端子部に接続されるフレキシブル配線基板とを備える液晶表示装置であって、
前記バックライトは、枠状のモールドを有し、
前記フレキシブル配線基板は、折り曲げられて、一部が前記枠状のモールドの背面側に配置されており、
前記フレキシブル配線基板は、電子部品を有し、
前記枠状のモールドは、前記フレキシブル配線基板が折り曲げられる側に位置する第１の側壁と、前記第１の側壁の一端側に位置する第２の側壁と、前記第１の側壁の他端側に位置し前記第２の側壁に対向する第３の側壁とを有し、
前記枠状のモールドの前記第２の側壁は、前記枠状のモールドの背面側に開口し前記電子部品が挿入される凹部を有することを特徴とする液晶表示装置。
【請求項７】
前記枠状のモールドの前記第３の側壁は、前記枠状のモールドの背面側に開口し前記電子部品が挿入される凹部を有することを特徴とする請求項６に記載の液晶表示装置。
【請求項８】
前記凹部は、所定の間隔をおいて複数形成されていることを特徴とする請求項６または請求項７に記載の液晶表示装置。
【請求項９】
前記凹部の長さは、前記凹部が形成されている側壁の延在方向に測った場合、１０ｍｍ以下であることを特徴とする請求項６ないし請求項８のいずれか１項に記載の液晶表示装置。
【請求項１０】
前記凹部の長さは、前記凹部が形成されている側壁の延在方向に測った場合、５ｍｍ以下であることを特徴とする請求項６ないし請求項９のいずれか１項に記載の液晶表示装置。
【請求項１１】
前記バックライトは、導光体を有し、
前記枠状のモールドの前記第２の側壁および前記第３の側壁は、前記凹部がないと仮定した場合、枠幅が階段状に変化する第１から第３の部分を有し、前記第２の部分は、前記第１の部分より前記枠状のモールドの枠幅が広く、前記第３の部分は、前記第２の部分より前記枠状のモールドの枠幅が広くなっており、
前記第１の部分には前記液晶表示パネルが収容され、
前記第３の部分には前記導光体が収容され、
前記電子部品が挿入される前記凹部は、前記第３の部分に形成されていることを特徴とする請求項６ないし請求項１０のいずれか１項に記載の液晶表示装置。
【請求項１２】
前記バックライトは、反射シートを有し、
前記反射シートは、前記枠状のモールドの背面側に固定されていることを特徴とする請求項６ないし請求項１１のいずれか１項に記載の液晶表示装置。
【請求項１３】
前記フレキシブル配線基板は、両面テープにより、前記枠状のモールドの背面側の面に貼り付けられていることを特徴とする請求項６ないし請求項１２のいずれか１項に記載の液晶表示装置。
【請求項１４】
前記フレキシブル配線基板は、平面的に見た場合に前記反射シートの外側の領域で、前記枠状のモールドに貼り付けられていることを特徴とする請求項１２に記載の液晶表示装置。
【請求項１５】
前記反射シートは、前記フレキシブル配線基板で覆われる領域の一部に、前記モールドの背面側の面を露出させる切り欠き部を有し、
前記切り欠き部において、前記フレキシブル配線基板が、前記枠状のモールドに貼り付けられていることを特徴とする請求項１２に記載の液晶表示装置。
【請求項１６】
液晶表示パネルと、
前記液晶表示パネルの背面側に配置されるバックライトと、
一端が、前記液晶表示パネルの端子部に接続されるフレキシブル配線基板とを備える液晶表示装置であって、
前記バックライトは、枠状のモールドと、光源とを有し、
前記フレキシブル配線基板は、前記枠状のモールドの枠外で折り曲げられて、一部が前記枠状のモールドの背面側に配置されており、
前記枠状のモールドは、前記フレキシブル配線基板が折り曲げられる側に位置する第１の側壁と、前記第１の側壁の一端側に位置する第２の側壁と、前記第１の側壁の他端側に位置し前記第２の側壁に対向する第３の側壁とを有し、
前記光源は、前記枠状のモールドの枠内に収容されているとともに、
前記光源は、前記フレキシブル配線基板の折り曲げ部分近傍であって、前記フレキシブル配線基板の面のうち、前記フレキシブル配線基板が折り曲げられた状態において前記液晶表示パネルに対向する面に実装されており、
前記フレキシブル配線基板は、電子部品を有し、
前記フレキシブル配線基板は、前記光源の周囲に切り込みを有し、
前記枠状のモールドの前記第２の側壁は、前記枠状のモールドの背面側に開口し前記電子部品が挿入される凹部を有することを特徴とする液晶表示装置。
【請求項１７】
前記フレキシブル配線基板の前記切り込みは、前記光源よりも前記第１の側壁側に位置し前記第１の側壁に沿う第１の切り込みと、それぞれ前記第１の切り込みの両端部に連続し、前記第２および前記第３の側壁に沿う第２および第３の切り込みとを有することを特徴とする請求項１６に記載の液晶表示装置。
【請求項１８】
前記フレキシブル配線基板の前記切り込みにより分離された部分は、両面テープにより、前記枠状のモールドの背面側の面に貼り付けられていることを特徴とする請求項１６または請求項１７に記載の液晶表示装置。
【請求項１９】
前記枠状のモールドは、前記枠状のモールドの背面側に開口し前記光源が挿入される凹部を有することを特徴とする請求項１６ないし請求項１８のいずれか１項に記載の液晶表示装置。
【請求項２０】
前記枠状のモールドの前記第３の側壁は、前記枠状のモールドの背面側に開口し前記電子部品が挿入される凹部を有することを特徴とする請求項１６ないし請求項１９のいずれか１項に記載の液晶表示装置。
【請求項２１】
前記電子部品が挿入される前記凹部は、所定の間隔をおいて複数形成されていることを特徴とする請求項１６ないし請求項２０のいずれか１項に記載の液晶表示装置。
【請求項２２】
前記電子部品が挿入される前記凹部の長さは、前記電子部品が挿入される前記凹部が形成されている側壁の延在方向に測った場合、１０ｍｍ以下であることを特徴とする請求項１６ないし請求項２１のいずれか１項に記載の液晶表示装置。
【請求項２３】
前記電子部品が挿入される前記凹部の長さは、前記電子部品が挿入される前記凹部が形成されている側壁の延在方向に測った場合、５ｍｍ以下であることを特徴とする請求項１６ないし請求項２２のいずれか１項に記載の液晶表示装置。
【請求項２４】
前記バックライトは、導光体を有し、
前記枠状のモールドの前記第２の側壁および前記第３の側壁は、前記電子部品が挿入される前記凹部がないと仮定した場合、枠幅が階段状に変化する第１から第３の部分を有し、前記第２の部分は、前記第１の部分より前記枠状のモールドの枠幅が広く、前記第３の部分は、前記第２の部分より前記枠状のモールドの枠幅が広くなっており、
前記第１の部分には前記液晶表示パネルが収容され、
前記第３の部分には前記導光体が収容され、
前記電子部品が挿入される前記凹部は、前記第３の部分に形成されていることを特徴とする請求項１６ないし請求項２３のいずれか１項に記載の液晶表示装置。
【請求項２５】
前記バックライトは、反射シートを有し、
前記反射シートは、前記枠状のモールドの背面側に固定されていることを特徴とする請求項１６ないし請求項２４のいずれか１項に記載の液晶表示装置。
【請求項２６】
前記フレキシブル配線基板は、両面テープにより、前記枠状のモールドの背面側の面に貼り付けられていることを特徴とする請求項１６ないし請求項２５のいずれか１項に記載の液晶表示装置。
【請求項２７】
前記フレキシブル配線基板は、平面的に見た場合に前記反射シートの外側の領域で、前記枠状のモールドに貼り付けられていることを特徴とする請求項２５に記載の液晶表示装置。
【請求項２８】
前記反射シートは、前記フレキシブル配線基板で覆われる領域の一部に、前記モールドの背面側の面を露出させる切り欠き部を有し、
前記切り欠き部において、前記フレキシブル配線基板が、前記枠状のモールドに貼り付けられていることを特徴とする請求項２５に記載の液晶表示装置。